【事件の表示】
　特許第３２８４４５６号「プリンタカバー」の請求項１に係る特許に対する特許異議の申立てについて、次のとおり決定する。
【結　論】
　訂正を認める。
　特許第３２８４４５６号の請求項１に係る特許を維持する。
【理　由】
１．手続きの経緯
　本件特許第３２８４４５６号の請求項１に係る発明についての出願は、平成８年１２月２０日に特許出願され、平成１４年３月８日にその発明について特許権の設定登録がなされ、その後、キヤノン株式会社より請求項１に係る発明の特許について特許異議の申立てがなされ、取消理由通知がなされ、その指定期間内である平成１６年３月８日に訂正請求がなされたものである。
　
２．訂正の適否についての判断
（１）訂正の内容
　１）訂正事項ａ
　特許請求の範囲の請求項１を次に訂正する（下線は訂正個所）。
「【請求項１】プリンタの紙案内面の上方を覆うカバーの面板の内面に、
排紙ローラ受けに支持された排紙ローラによる
前記
し、前記壁板の背面に前記カバーが閉じられたときに前記排紙ローラ受けに前記カバーが緩く当たるように消音材を兼ねる緩衝材を配置
　２）訂正事項ｂ
　明細書段落【０００５】を次に訂正する。
「【課題を解決するための手段】すなわち、本発明はこのような課題を達成するためのプリンタカバーとして、プリンタの紙案内面の上方を覆うカバーの面板の内面に、排紙ローラ受けに支持された排紙ローラによる紙搬送方向と直交する向きの垂直な壁板と、紙搬送方向に延びる複数の垂直な紙案内リブを設けて、前記面板と壁板と前記紙案内リブによって区画される空間を衝撃音減衰用の複数の小室として形成するとともに、これらの下縁を紙案内面と微小な間隙を残して対向させ、かつ、前記紙案内リブの下縁を、他の下縁よりも一段紙案内面に近接させて形成、前記壁板の背面に前記カバーが閉じられたときに前記排紙ローラ受けに前記カバーが緩く当たるように消音材を兼ねる緩衝材を配置したものである。」
　３）訂正事項ｃ
　明細書段落【００１５】を次に訂正する。
「【発明の効果】以上述べたように本発明によれば、プリンタの紙案内面の上方を覆うカバーの面板の内面に、排紙ローラ受けに支持された排紙ローラによる紙搬送方向と直交する向きの垂直な壁板と、紙搬送方向に延びる複数の垂直な紙案内リブを設けて、前記面板と壁板と前記紙案内リブによって区画される空間を衝撃音減衰用の複数の小室として形成するとともに、これらの下縁を紙案内面と微小な間隙を残して対向させ、かつ、前記紙案内リブの下縁を、他の下縁よりも一段紙案内面に近接させて形成し、前記壁板の背面に前記カバーが閉じられたときに前記排紙ローラ受けに前記カバーが緩く当たるように消音材を兼ねる緩衝材を配置したので、記録紙面を伝って外方へ漏出しようとする打接音を、小室とその前後の間隙を通すことによって生じるラビリンス効果により急激に減衰させることができるばかりでなく、紙案内リブの紙搬送方向上手側の下縁部分を壁板に連なるアール形状とし、また、紙搬送方向下手側の下縁部分を面板に連なる一段高い面となしたので、記録紙を紙案内面と紙案内リブとの間で安定的に導くことを可能とし、さらには面板に連接するぶぶんを一段高く形成するとともに、面板の下端にエッジを設けたことにより、記録紙を紙案内面と紙案内リブとの間で保持した状態で、必要とするところから正確に切断することができる。」
　
（２）訂正の目的、新規事項の有無、拡張変更の存否の各要件についての判断
　訂正事項ａは、請求項１について、紙搬送方向が排紙ローラ受けに支持された排紙ローラによるものであるとすることで、壁板の向きと紙案内リブの延びる方向を限定し、及び、壁板の背面には、カバーが閉じられたときに排紙ローラ受けにカバーが緩く当たるように消音材を兼ねる緩衝材を配置していることを限定したものであるが、これらの限定は、願書に添付した明細書又は図面に記載した事項（特に明細書段落【００１１】と図１，２を参照）の範囲内でなされたものであり、また、訂正事項ｂ，ｃは、発明の詳細な説明の記載を特許請求の範囲の記載に整合させるための訂正であるから、上記訂正は、特許請求の範囲の減縮と明りょうでない記載の釈明を目的とし、新規事項の追加に該当せず、実質上特許請求の範囲を拡張し又は変更するものでもない。
　なお、上記「排紙ローラ受けに支持された排紙ローラによる紙搬送方向」について補足するならば、明細書段落【００１１】の排紙ローラ受け１３に係る記載と図１の記載とからみて、プリンタに排紙ローラ受けに受けられた「排紙ローラ」が備わっていること、排紙ローラ受けに「受けられた」ことを「支持された」と称していること、そして「紙搬送方向」が「排紙ローラ」によるものであること等は明らかなことである。
　
（３）訂正の適否のまとめ
　以上のとおりであるから、上記訂正は、特許法第１２０条の４第２項及び同条第３項において準用する特許法第１２６条第２項から第４項までの規定に適合するので、当該訂正を認める。
　
３．異議申立てについての判断
（１）異議申立ての概要
　異議申立人キヤノン株式会社は、甲第１，２号証を証拠として提出し、請求項１に係る発明は、甲第１，２号証のそれぞれに記載された発明であり、あるいは甲第１，２号証に記載された発明に基づいて当業者が容易に発明をすることができたものであるから、その特許は特許法第２９条の規定に違反してなされた旨主張している。
　
（２）本件請求項１に係る発明
　本件請求項１に係る発明は訂正明細書の特許請求の範囲の請求項１に記載された事項により特定されるとおりのものである（上記訂正事項ａ参照）。
　
（３）甲１，２号証とその記載された発明
　１）甲第１号証：特開平６−１０４１号公報
　甲第１号証には、図面を含む全記載によれば、インパクトドットプリンタ１００において、印字ヘッド８とプラテン６の上方に第一プリンタカバー１をケース３に回転可能に設け、第一プリンタカバー１の面板の内面に、印刷用紙排出方向と直交する向きの垂直な消音用部材１ａとこの前後に亘って印刷用紙排出方向に延びる複数の垂直な紙案内用部材１ｄとからなる衝撃音減衰用の複数の小室を形成し、さらに、第一プリンタカバー１にはシートガイド１２の紙案内面の上方を覆う第二プリンタカバー２を回転可能に係合し、その面板の内面に、印刷用紙排出方向と直交する向きの垂直な消音用部材２ａとこの前後に亘って印刷用紙排出方向に延びる複数の垂直な紙案内用部材２ｄを設けて、前記面板と消音用部材２ａと前記紙案内用部材２ｄによって区画される空間を衝撃音減衰用の複数の小室として形成するとともに、これらの下縁をシートガイド１２の紙案内面と対向させ、かつ、前記紙案内用部材２ｄの下縁を、他の下縁よりも一段シートガイド１２の紙案内面に近接させて形成し、前記第一プリンタカバー１の印字ヘッド８上方箇所には吸音材７を配置したプリンタカバー、に係る発明が記載されているものと認められる。
　２）甲第２号証：特開平５−３０９９１３号公報
　甲第２号証には、図面を含む全記載によれば、インパクト方式のプリンタにおいて、印字ヘッド３とプラテン２と排紙口９の上方にかけてカバー４をケース部材１に対して開閉自在に設け、カバー４の内、プラテン２から排紙口９に至る紙案内面の上方を覆う面板の内面に、紙搬送方向と直交する向きの垂直なリブ５と、リブ５の前後に亘って紙搬送方向に延びる複数の垂直な紙案内リブ６を設けて、前記面板とリブ５と前記紙案内リブ６によって区画される空間を衝撃音減衰用の複数の小室として形成するとともに、これらの下縁を紙案内面と微小な隙間１１を残して対向させ、かつ、前記紙案内リブ６の下縁を、他の下縁よりも一段紙案内面に近接させて形成し、前記紙案内リブ６の反排紙口側の端部から印字ヘッド３上方にかけて吸音部材７を配置したプリンタカバー、に係る発明が記載されているものと認められる。
　
（４）対比・判断
　本件請求項１に係る発明（前者）と甲第２号証に記載された発明（後者）とを対比するに、後者の「リブ５」、「隙間１１」、「吸音部材７」は、それぞれ、前者の「壁板」、「間隙」、「消音材」に対応するから、両者は、「プリンタの紙案内面の上方を覆うカバーの面板の内面に、紙搬送方向と直交する向きの垂直な壁板と、紙搬送方向に延びる複数の垂直な紙案内リブを設けて、前記面板と壁板と前記紙案内リブによって区画される空間を衝撃音減衰用の複数の小室として形成するとともに、これらの下縁を紙案内面と微小な間隙を残して対向させ、かつ、前記紙案内リブの下縁を、他の下縁よりも一段紙案内面に近接させて形成し、消音材を配置したことを特徴とするプリンタカバー。」である点で一致し、次の点で相違する。
　＜相違点＞前者では、紙搬送方向が排紙ローラ受けに支持された排紙ローラによるものとし、壁板の背面に、カバーが閉じられたときに排紙ローラ受けにカバーが緩く当たるように消音材を兼ねる緩衝材を配置しているのに対して、後者では、紙搬送方向が排紙ローラ受けに支持された排紙ローラによるものではなく、消音材については紙案内リブの反排紙口側の端部から印字ヘッド上方にかけて配置している点。
　
　以下、相違点について検討する。
　プリンタ一般において、印字がなされた記録紙を排紙ローラ受けに支持された排紙ローラにより排紙口に向けて搬送することは普通にみられることであるから、甲第２号証記載の発明においても、紙搬送方向を排紙ローラ受けに支持された排紙ローラによるものとすることは必要に応じて適宜なし得ることといえる。
　しかしながら、消音材を、カバーが閉じられたときに排紙ローラ受けにカバーが緩く当たるようにする緩衝材としての機能を持たせることについては、甲第１，２号証の記載から容易に想起できるとはいえないし、加えて、本件請求項１に係る発明において、消音材を兼ねる緩衝材を壁板の背面に配置し、かつ、排紙ローラ受けに当たるようにしていることには、記録紙を伝って外部へ漏れ出ようとする打接音のうち、面板と壁板と紙案内リブとからなる複数の小室により減衰される以外の、小室の手前で上方へ漏れ出ようとするものをも吸音できる（本件明細書段落【００１３】）という意義があるものであるから、本相違点を当業者が容易に想到できたことということはできない。
　そして、上記相違点に係る特定事項を含む本件請求項１に係る発明は、明細書記載の格別の作用効果を奏するものであるから、甲第１号証あるいは甲第２号証に記載された発明であるとはいえず、また、それらに記載された発明に基づいて当業者が容易に発明をすることができたものともいえない。
　
４．むすび
　したがって、特許異議の申立ての理由によっては本件請求項１に係る発明についての特許を取り消すことはできない。
　また、他に本件請求項１に係る発明についての特許を取り消すべき理由を発見しない。
　よって、結論のとおり決定する。
【異議決定日】
平成１６年７月２１日（２００４．７．２１）
【訂正の要旨】
審決（決定）の【理由】欄参照。
（５４）【発明の名称】
プリンタカバー
（５７）【特許請求の範囲】
　【請求項１】　プリンタの紙案内面の上方を覆うカバーの面板
の内面に、排紙ローラ受けに支持された排紙ローラによる紙搬送方向
形成し、前記壁板の背面に前記カバーが閉じられたときに前記排紙ローラ受けに前記カバーが緩く当たるように消音材を兼ねる緩衝材を配置したこと
【発明の詳細な説明】
　【０００１】
　【発明の属する技術分野】
　本発明は主にインパクト式のドットプリンタに適用するカバーに関する。
　【０００２】
　【従来の技術】
　ワイヤの先端を記録紙面に打接して記録書込みを行うインパクト式のドットプリンタは、重ねられた複数の記録紙に同時に記録書込みを行える利点を有するが、半面、打接音により執務環境を損ねるといった問題を有している。
　【０００３】
　このため、この種のプリンタでは、特開平７−３１４８５５号公報に見られるように、前面をカバーで覆って打接音の漏れを抑えるようにしているが、このような構造を採っても、通紙部からの打接音の漏れを十分に抑えることができないといった問題を有している。
　【０００４】
　【発明が解決しようとする課題】
　本発明はこのような問題に鑑みてなされたもので、その目的とするところは、インパクト式ドットプリンタが抱える打接音の漏れを、より効果的に抑えることのできる新たなプリンタカバーを提供することにある。
　【０００５】
　【課題を解決するための手段】
　すなわち、本発明はこのような課題を達成するためのプリンタカバーとして、プリンタの紙案内面
の
の
排紙ローラ受けに支持された排紙ローラによる紙搬送方向と直交する向きの垂直な
延びる複数の垂直な
を設けて、前記
前記
される空間を
として
とともに、これらの下縁を紙案内面と微小な間隙を残して対向させ、かつ、前記紙案内リブの下縁を、他の下縁よりも一段紙案内面に近接させて形成し、前記壁板の背面に前記カバーが閉じられたときに前記排紙ローラ受けに前記カバーが緩く当たるように消音材を兼ねる緩衝材を配管したものである。
　【０００６】
　【作用】
　このように構成したことにより、記録紙を伝って外部へ漏れようとする打接音を、小室とその前後の間隙を通す過程でラビリンス効果により効率よく減衰させる。
　【０００７】
　【発明の実施の形態】
　そこで以下に本発明の実施例について説明する。
　図面はいずれも本発明の一実施例を示したものである。
　【０００８】
　図において符号１で示したカバーは、プリンタ本体１０の頂部に設けた支軸１１を支点として排紙側の紙案内面を覆うよう開閉自在に設けたカバーで、閉止状態でその面板２を排紙側に大きく傾斜させて位置するこのカバー１には、図２に示したように、面板２の背面下端部に、面板２と平行な向きの垂壁板３と、紙搬送方向と平行な向きの多数の紙案内リブ４‥‥とによって区画された騒音減衰用の小室５が、開放端を紙案内面１２に向けた状態で多数形成されている。
　【０００９】
　これらの部分をさらに詳細に説明すると、面板２の下縁２ａには、ペーパーカッタとしての機能をもたらすようシャープなエッジが形成され、さらにこの下縁２ａは、面板２の両側端に設けた当接片６、６に支持された状態で、紙案内面１２との間に僅かな間隙δをおいて対向している。
　【００１０】
　これに対して紙搬送方向に向けて伸びる紙案内リブ４も、その下縁４ａを紙案内面１２と僅かな間隙をおいて対向位置し、また面板２寄りの下縁４ｂは、カット性をよくするために、面板２下縁２ａと同一面をなすよう一段高く形成されており、さらに、垂壁板３寄りの下縁４ｃは垂壁板３の下縁３ａにアールをもって接続し、この部分によって記録紙の先端を紙案内面に添わせるように構成されている。
　【００１１】
　なお、図中符号７は、カバー１を閉止した際に、垂壁板３の背面と排紙ローラ受け１３の壁面１３ａとの間にできる通路２０の上部を閉塞する機能と、カバー１を排紙ローラ受け１３に緩く当接させる機能を持たすべく、垂壁板３の背面に設けた緩衝部材で、同時に吸音材としての効果を持たすよう発泡材等によって形成されており、また、図中符号１４はプラテン、１５はインパクト式の記録ヘッド、１６はスタッカをそれぞれ示している。
　【００１２】
　このように構成された実施例において、いま、インパクト式の記録ヘッド１５により記録紙上に印字ワイヤにより所要の記録書込みを行っていくと、記録紙は、紙案内リブ４の垂壁板３寄りに設けたアール状の下縁４ｃに導かれつつ順に面板２側へ送られ、ここでさらに一段高く形成された紙案内リブ４の下縁４ｂに導かれて、スタッカ１６上へ円滑に排出される。
　【００１３】
　一方、これと同時に、記録紙を伝ってカバー１の外へ漏れ出そうとする打接音の一部は、はじめに、排紙ローラ受け１３の壁面１３ａとの間の狭い隙間から通路２０内へ入り、ついで垂壁板３との間の狭い隙間から小室５内へ入り、さらにここから狭い隙間を通って外部へ漏れ出す間に、これらの部分でラビリンス作用を受けて急激に減衰し、また、通路２０から上方へ漏れ出ようとする打接音は、この上部を閉塞している緩衝部材７によって吸音される。
　【００１４】
　他方、カバー１との間から排出されてきたファンフォールド紙等の記録紙は、ここで、適宜の部分で切断する必要が生じた場合に、その直前の一側をつかんで斜め上方へ引張ることにより、面板２下縁２ａに設けた手掛けを兼ねたエッジ部分によって切断される。
　【００１５】
　【発明の効果】
　以上述べたように本発明によれば、
プリンタの
の
画板の
排紙ローラ受けに支持された排紙ローラによる紙搬送方向と直交する向きの垂直な壁板と、紙搬送方向に延びる複数の垂直な紙案内リブを設けて、前記面板と
前記
によ
る空間を衝撃音減衰用の
として
するとともに、これらの下縁を紙案内面と微小な間隙を残して対向させ、かつ、前記紙案内リブの下縁を、他の下縁よりも一段紙案内面に近接させて形成し、前記壁板の背面に前記カバーが閉じられたときに前記排紙ローラ受けに前記カバーが緩く当たるように消音材を兼ねる緩衝材を配置したので、
【図面の簡単な説明】
　【図１】
　本発明の一実施例を示したプリンタカバーの側面図である。
　【図２】
　同上カバーを示した斜視図である。
　【図３】
　同上カバーの要部を示した斜視図である。
　【符号の説明】
　１　カバー
　２　面板
　３　垂壁板
　４　紙案内リブ
　５　小室
　１２　紙案内面